(57)【要約】【課題】伝票に書き込み可能なＩＣタグを付加し、該ＩＣタグに伝票の様式情報をあらかじめ書き込んでおくとともに、オペレータによって営業店端末に入力された処理情報を前記営業店端末のＩＣタグリーダライタがＩＣタグに書き込み、該ＩＣタグに書き込まれた情報をＩＣタグ一括リーダによって読み取るようにして、オペレータによる目視確認や仕訳作業、及び、伝票プリンタによる印字を行う必要がなく、正確に、短時間で、かつ、低いコストで伝票を処理することができるようにする。【解決手段】金融機関の営業店に配設され、伝票に記入された金融取引を行う営業店端末と、営業店に配設され、金融取引に関する突合を行う突合用営業店端末とを有し、営業店端末は、ＩＣタグリーダライタを備え、伝票に付加されたＩＣタグにあらかじめ書き込まれた伝票の様式情報をＩＣタグリーダライタを介して読み込む。【選択図】図１
2006252401.tif 000002
【特許請求の範囲】
【請求項１】
（ａ）金融機関の営業店に配設され、伝票に記入された金融取引を行う営業店端末と、
（ｂ）前記営業店に配設され、前記金融取引に関する突合を行う突合用営業店端末とを有し、
（ｃ）前記営業店端末は、ＩＣタグリーダライタを備え、前記伝票に付加されたＩＣタグにあらかじめ書き込まれた当該伝票の様式情報を前記ＩＣタグリーダライタを介して読み込むことを特徴とするＩＣタグを用いた伝票処理システム。
【請求項２】
前記様式情報は、前記伝票の調製段階で書き込まれた前記伝票の識別コード又は版数情報である請求項１に記載のＩＣタグを用いた伝票処理システム。
【請求項３】
前記営業店端末は、前記ＩＣタグから読み取った様式情報に基づいて、前記伝票の有効性をチェックする請求項１又は２に記載のＩＣタグを用いた伝票処理システム。
【請求項４】
前記営業店端末は、前記伝票に記入された金融取引の処理結果を前記ＩＣタグリーダライタを介して当該伝票に付加されたＩＣタグに書き込む請求項１〜３のいずれか１項に記載のＩＣタグを用いた伝票処理システム。
【請求項５】
前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、取引科目別に仕訳を行う請求項４に記載のＩＣタグを用いた伝票処理システム。
【請求項６】
前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、処理金額の集計を行う請求項４に記載のＩＣタグを用いた伝票処理システム。
【請求項７】
前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、取引の処理件数及び現金在り高の突合を行う請求項４に記載のＩＣタグを用いた伝票処理システム。
【発明の詳細な説明】
【技術分野】
【０００１】
本発明は、ＩＣタグを用いた伝票処理システムに関するものである。
【背景技術】
【０００２】
従来、銀行、郵便局、信用金庫、消費者金融会社等の金融機関の支店、すなわち、営業店等の窓口には、テラー（Ｔｅｌｌｅｒ）等の金融機関のオペレータが操作して、入金、出金、通帳記帳、残高照会、振り込み、振り替え、送金、定期性預金設定等の金融取引をオンラインで行うための営業店端末が配設されている。そして、顧客は、前記金融取引を窓口のオペレータに依頼して行う場合、伝票に金融取引の種類、金額、口座番号等の情報を記入し、前記伝票を窓口のオペレータに渡す。すると、該オペレータは、顧客が記入した伝票を受け取り、該伝票に記載された情報である金融取引の種類、金額、口座番号等を前記営業店端末のキーボードを操作して入力し金融取引を行う（例えば、特許文献１参照。）。この場合、前記伝票は、次のように処理される。
【０００３】
図２は従来の伝票処理の動作を示すフローチャートである。
【０００４】
まず、オペレータは、受け取った伝票の様式確認を目視によって行う。なお、前記伝票の記載内容も確認される。そして、確認の結果、前記伝票に問題が発見されなかった場合、オペレータは、営業店内に配設された勘定端末機である営業店端末によって端末処理を行う。その際に、前記営業店端末に接続された伝票プリンタによって金融取引における処理の結果が印字される。
【０００５】
そして、当日の業務が終了すると、伝票は、同様に処理された他の伝票群とまとめられ、オペレータの目視によって取引科目毎に仕訳される。仕訳後、オペレータは、各取引科目毎に、伝票の枚数を集計し、更に、金額を電卓等を使用して集計する。そして、集計の結果を当日の処理件数や現金在り高と突合する。すなわち、勘定突合を行う。
【０００６】
なお、勘定一致が確認された伝票は、後日の検索を容易にするため、所定の決まりによって並べ替えられた後、処理日単位で装丁が行われ、あらかじめ決められた場所に保管される。
【０００７】
次に、フローチャートについて説明する。
ステップＳ１  伝票の様式確認を行う。
ステップＳ２  営業店端末によって端末処理を行う。
ステップＳ３  処理の結果を印字する。
ステップＳ４  取引科目毎に仕訳される。
ステップＳ５  伝票の枚数を集計する。
ステップＳ６  金額を集計する。
ステップＳ７  勘定突合を行う。
ステップＳ８  伝票を処理日単位で装丁し保管して、処理を終了する。
【特許文献１】特開平４−３３７８９９公報
【発明の開示】
【発明が解決しようとする課題】
【０００８】
しかしながら、前記従来の伝票処理システムにおいては、伝票の様式確認を目視によって行うので、伝票の様式に些（さ）細な改訂等がある場合、看過される可能性が高くなり、旧版伝票の誤用に起因する事務リスクが発生する可能性がある。
【０００９】
また、端末処理において、営業店端末に接続された伝票プリンタの不具合によって、伝票が汚れてしまったり、破損してしまうことがある。また、伝票プリンタにはインク等の消耗率の高い部品が不可欠なので、コストが高くなってしまう。
【００１０】
さらに、取引科目毎に仕訳を行う際に、仕事に慣れていないオペレータが手作業で仕訳処理を行うと、科目誤認による仕訳相違が発生することがある。この場合、集計中に仕訳をやり直すことになり、作業が重複し、無駄が発生してしまう。
【００１１】
さらに、伝票の処理枚数が膨大であれば、集計作業は極めて煩雑なものになってしまう。そのため、金額誤差や計算相違が発生することがある。
【００１２】
さらに、勘定が一致した伝票を並べ替えたり、処理日単位で装丁する作業は、オペレータの労力負担が大きくなってしまうという問題もある。
【００１３】
本発明は、前記従来の伝票処理システムの問題点を解決して、伝票に書き込み可能なＩＣ（Ｉｎｔｅｇｒａｔｅｄ  Ｃｉｒｃｕｉｔ）タグを付加し、該ＩＣタグに伝票の様式情報をあらかじめ書き込んでおくとともに、オペレータによって営業店端末に入力された処理情報を前記営業店端末のＩＣタグリーダライタがＩＣタグに書き込み、該ＩＣタグに書き込まれた情報をＩＣタグ一括リーダによって読み取るようにして、オペレータによる目視確認や仕訳作業、及び、伝票プリンタによる印字を行う必要がなく、正確に、短時間で、かつ、低いコストで伝票を処理することができるＩＣタグを用いた伝票処理システムを提供することを目的とする。
【課題を解決するための手段】
【００１４】
そのために、本発明のＩＣタグを用いた伝票処理システムにおいては、金融機関の営業店に配設され、伝票に記入された金融取引を行う営業店端末と、前記営業店に配設され、前記金融取引に関する突合を行う突合用営業店端末とを有し、前記営業店端末は、ＩＣタグリーダライタを備え、前記伝票に付加されたＩＣタグにあらかじめ書き込まれた当該伝票の様式情報を前記ＩＣタグリーダライタを介して読み込む。
【００１５】
本発明の他のＩＣタグを用いた伝票処理システムにおいては、さらに、前記様式情報は、前記伝票の調製段階で書き込まれた前記伝票の識別コード又は版数情報である。
【００１６】
本発明の更に他のＩＣタグを用いた伝票処理システムにおいては、さらに、前記営業店端末は、前記ＩＣタグから読み取った様式情報に基づいて、前記伝票の有効性をチェックする。
【００１７】
本発明の更に他のＩＣタグを用いた伝票処理システムにおいては、さらに、前記営業店端末は、前記伝票に記入された金融取引の処理結果を前記ＩＣタグリーダライタを介して当該伝票に付加されたＩＣタグに書き込む。
【００１８】
本発明の更に他のＩＣタグを用いた伝票処理システムにおいては、さらに、前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、取引科目別に仕訳を行う。
【００１９】
本発明の更に他のＩＣタグを用いた伝票処理システムにおいては、さらに、前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、処理金額の集計を行う。
【００２０】
本発明の更に他のＩＣタグを用いた伝票処理システムにおいては、さらに、前記突合用営業店端末は、複数のＩＣタグに書き込まれた情報を一括して読み込むＩＣタグ一括リーダを備え、複数の伝票に付加されたＩＣタグに書き込まれた前記金融取引の処理結果を前記ＩＣタグ一括リーダを介して読み込み、取引の処理件数及び現金在り高の突合を行う。
【発明の効果】
【００２１】
本発明によれば、伝票に書き込み可能なＩＣタグを付加し、該ＩＣタグに伝票の様式情報をあらかじめ書き込んでおくとともに、オペレータによって営業店端末に入力された処理情報を前記営業店端末のＩＣタグリーダライタがＩＣタグに書き込み、該ＩＣタグに書き込まれた情報をＩＣタグ一括リーダによって読み取るようになっている。
【００２２】
そのため、オペレータによる目視確認や仕訳作業、及び、伝票プリンタによる印字を行う必要がなく、正確に、短時間で、かつ、低いコストで伝票を処理することができる。
【発明を実施するための最良の形態】
【００２３】
以下、本発明の実施の形態について図面を参照しながら詳細に説明する。
【００２４】
図１は本発明の実施の形態における突合用営業店端末の構成を示す図、図３は本発明の実施の形態における伝票処理システムの構成を示す図、図４は本発明の実施の形態における突合用営業店端末の機能を示すブロック図、図５は本発明の実施の形態における伝票処理システムＩＣタグに記憶される情報の内容を示す図である。
【００２５】
図３において、１０は銀行、郵便局、信用金庫、消費者金融会社等の金融機関の支店、すなわち、営業店に配設された伝票処理システムであり、オペレータが操作して、後述される伝票３１に記入された金融取引を行うための一般用営業店端末１１Ｂ、オペレータが操作して、金融取引に関する突合、例えば、金融取引の処理件数や現金在り高の突合を行うための突合用営業店端末１１Ａ、及び、営業店サーバ１８を有する。なお、前記突合用営業店端末１１Ａは、一般用営業店端末１１Ｂと同様に、金融取引を行うための機能を備えるものである。そして、前記突合用営業店端末１１Ａと一般用営業店端末１１Ｂとを統合的に説明する場合には営業店端末１１として説明する。また、前記一般用営業店端末１１Ｂ、突合用営業店端末１１Ａ及び営業店サーバ１８は、図３に示されるように、営業店の構内ネットワークである営業店ＬＡＮ（Ｌｏｃａｌ  Ａｒｅａ  Ｎｅｔｗｏｒｋ）２０によって相互に通信可能に接続されている。また、前記一般用営業店端末１１Ｂ、突合用営業店端末１１Ａ及び営業店サーバ１８は、ルータ１９を介してホスト２１と通信可能に接続されている。
【００２６】
ここで、該ホスト２１は、金融機関におけるコンピュータシステム内に構築された勘定系上位装置としてのホストコンピュータであり、前記金融機関に開設された口座に関する入金、出金、振り替え、振り込み等の各種金融取引を処理するようになっている。なお、前記ホスト２１は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。そして、ホスト２１は、図示されない勘定データベースを備え、営業店端末１１から受信した情報に基づいて、勘定データベースに格納されている金融取引の情報を更新する。さらに、前記ホスト２１は、営業店の各営業日における処理件数、現金在り高等の情報も格納する。
【００２７】
また、前記一般用営業店端末１１Ｂは、営業店のハイカウンタ、ローカウンタ等の窓口に配設され、テラー等の金融機関のオペレータが操作する一種のコンピュータであり、ＣＰＵ、ＭＰＵ等の演算手段、半導体メモリ、磁気ディスク等の記憶手段、通信手段等を有し、さらに、入力装置としてのキーボード、及び、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置を有する。なお、該表示装置は、入力装置としての機能も兼ね備えたタッチパネルであってもよい。また、前記一般用営業店端末１１Ｂは、通常、紙幣及び硬貨を取り扱う貨幣入出金部を有して入出金機としても機能するものであり、金融機関のオペレータが操作して、紙幣及び硬貨の現金の補充、回収、入金、出金、通帳記帳、残高照会、振り込み、振り替え、送金、定期性預金設定等の金融取引をオンラインで行うようになっている。しかし、本実施の形態においては、説明の都合上、前記一般用営業店端末１１Ｂは、貨幣入出金部を有しておらず、入出金機として機能しないものとして説明する。なお、前記一般用営業店端末１１Ｂは、通常、複数であるが単数であってもよく、その数はいくつであってもよい。
【００２８】
そして、図１において、３１は、顧客が入金、出金、振り込み、振り替え等の金融取引を窓口のオペレータに依頼して行う場合に、金融取引の種類、金額、口座番号等の情報を記入する伝票である。なお、図１（ａ）に示される例は、伝票３１が普通預金を入金する際に使用される普通預金入金票である場合を示している。
【００２９】
また、３２は、前記伝票３１を識別する情報としての識別コードや版数情報のような伝票３１の様式情報、及び、前記伝票３１に記載された情報、すなわち、伝票情報を記憶するメモリを有するＩＣタグである。そして、該ＩＣタグ３２は、伝票に固有の情報を有するので、前記伝票３１に漉き込み等により埋め込まれていることが望ましいが、同様な情報を記録可能であれば、取り付け及び取り外し可能な形状、例えば、Ｖクリップの形状を有し、対応する伝票３１に着脱可能に取り付けられて使用されるものであってもよく、その場合はＩＣタグ３２の再利用が可能となる。ここで、前記ＩＣタグ３２は、いわゆる、ＲＦＩＤ（Ｒａｄｉｏ  Ｆｒｅｑｕｅｎｃｙ  Ｉｄｅｎｔｉｆｉｃａｔｉｏｎ）タグであり、ＩＣを搭載し、情報を電子的に読み書きすることができるようになっている。なお、前記伝票３１を調製した段階で、前記ＩＣタグ３２に伝票３１の識別コードや版数情報などを書き込んでおくようにする。
【００３０】
そして、前記ＩＣタグ３２は、図示されないアンテナ、送受信部及び記憶部を有し、後述されるＩＣタグリーダライタ１３から送信される各種情報を記憶するとともに、前記ＩＣタグリーダライタ１３からの指示に応じて、該ＩＣタグリーダライタ１３に情報を送信するようになっている。また、前記ＩＣタグ３２は、通常のＲＦＩＤタグと同様に、数キロ〜数百キロバイトの情報を記憶することが可能であり、さらに、耐環境性が良く、油や泥が付着しても支障がない。また、透過性があり、ＩＣタグ３２とＩＣタグリーダライタ１３との間に金属以外の物質が存在しても透過して通信が可能であることが望ましい。
【００３１】
さらに、本実施の形態において、前記ＩＣタグ３２の記憶部に記憶される内容は、顧客が記入した伝票３１を処理した処理者、該処理者の使用した一般用営業店端末１１Ｂ又は突合用営業店端末１１Ａの端末番号及び処理時刻、前記伝票３１の伝票情報としての金融取引の科目、金融取引の金額、顧客の口座番号等である。すなわち、前記ＩＣタグ３２のメモリ構成は、図５に示されるように、処理者、端末番号、処理時刻、取引科目、金融取引の金額、口座番号等である。
【００３２】
なお、前記ＩＣタグ３２は、必ずしもＲＦＩＤタグである必要はなく、情報を電子的に個別及び一括して読み書きすることができるものであれば、ＲＡＭ（Ｒａｎｄｏｍ  Ａｃｃｅｓｓ  Ｍｅｍｏｒｙ）、強誘電体積層メモリチップ等の記録媒体を備えるものであってもよく、いかなる形態のものであってもよい。
【００３３】
そして、前記一般用営業店端末１１Ｂは、伝票プリンタ１２及び前記ＩＣタグ３２の情報の読み取り及び書き込みを行うＩＣタグリーダライタ１３を備える。該ＩＣタグリーダライタ１３は、ＵＳＢ（Ｕｎｉｖｅｒｓａｌ  Ｓｅｒｉａｌ  Ｂｕｓ）インターフェイスや、ＲＳ（Ｒｅｃｏｍｍｅｎｄｅｄ  Ｓｔａｎｄａｒｄ）−２３２Ｃ等のシリアルインターフェイスのようなインターフェイスを介して、前記一般用営業店端末１１Ｂに接続されている。なお、前記ＩＣタグリーダライタ１３は一般用営業店端末１１Ｂに内蔵されたものであってもよい。ここで、前記ＩＣタグリーダライタ１３は、図示されないアンテナを有し、前記ＩＣタグ３２と通信を行って該ＩＣタグ３２の記憶部に記憶されている情報を判別する帳票判別部、及び、用紙識別コード、金融取引の種類、金融取引の金額、顧客の口座番号等の情報を前記ＩＣタグ３２に送信して該ＩＣタグ３２の記憶部に書き込む取引情報書き込み部を有する。
【００３４】
そして、前記伝票プリンタ１２は、認証印字を行うものであり、印刷用紙等の媒体に印刷することができるものであれば、いかなる種類の印刷方式を採用するものであってもよく、例えば、インクジェット方式、電子写真方式、熱転写方式、ワイヤドット方式等であってもよい。
【００３５】
また、前記突合用営業店端末１１Ａは、前記営業店の出納を管理する部署としての出納元等に配設され、金融取引の処理件数の計数や現金在り高の突合を行うための装置である。そして、前記突合用営業店端末１１Ａは、ＣＰＵ、ＭＰＵ等の演算手段、半導体メモリ、磁気ディスク等の記憶手段、通信手段等を有する一種のコンピュータであり、さらに、入力装置としてのキーボード、及び、ＣＲＴ、液晶ディスプレイ、ＬＥＤディスプレイ等の表示装置を有する。なお、該表示装置は、入力装置としての機能も兼ね備えたタッチパネルであってもよい。また、前記突合用営業店端末１１Ａは、通常、単数であるが、その数はいくつであってもよい。
【００３６】
そして、前記突合用営業店端末１１Ａは、伝票プリンタ１２及び前記ＩＣタグ３２の情報の読み取り及び書き込みを行うＩＣタグリーダライタ１３を備える。さらに、前記突合用営業店端末１１Ａは、複数のＩＣタグ３２の多量な情報を瞬時に一括して読み取ることができるＩＣタグ一括リーダ１４を備える。該ＩＣタグ一括リーダ１４は、ＩＣタグリーダライタ１３と同様に、ＵＳＢインターフェイスや、ＲＳ−２３２Ｃ等のシリアルインターフェイスのようなインターフェイスを介して、前記突合用営業店端末１１Ａに接続されている。なお、前記ＩＣタグリーダライタ１３は突合用営業店端末１１Ａに内蔵されたものであってもよい。
【００３７】
また、前記突合用営業店端末１１Ａは、機能の観点から、図４に示されるように、表示部１１ａ、帳票判定部１１ｂ、取引情報書き込み部１１ｃ、取引情報一括取得部１１ｄ、取引情報集計部１１ｅ及び取引情報突合部１１ｆを備える。ここで、前記表示部１１ａは、各種情報を表示する機能を備え、前記表示装置に対応するものである。また、前記帳票判定部１１ｂは、前記ＩＣタグ３２と通信を行って該ＩＣタグ３２の記憶部に記憶されている用紙識別コード、金融取引の種類、金融取引の金額、顧客の口座番号等の情報を判定する機能を備える。さらに、前記取引情報書き込み部１１ｃは、情報を前記ＩＣタグ３２に送信して該ＩＣタグ３２の記憶部に書き込む機能を備える。なお、前記表示部１１ａ、帳票判定部１１ｂ及び取引情報書き込み部１１ｃは、一般用営業店端末１１Ｂにも、同様に備えられている。
【００３８】
そして、前記取引情報一括取得部１１ｄは、複数のＩＣタグ３２と通信を行って、該ＩＣタグ３２の記憶部に記憶されている取引情報を一括して取得する機能を備える。また、前記取引情報集計部１１ｅは、取引情報一括取得部１１ｄが取得した情報を集計する機能を備える。さらに、前記取引情報突合部１１ｆは、取引情報一括取得部１１ｄが取得した情報の突合を行う機能を備える。
【００３９】
また、前記営業店サーバ１８は、ＣＰＵ、ＭＰＵ等の演算手段、磁気ディスク、半導体メモリ等の記憶手段、キーボード、マウス等の入力手段、ＣＲＴ、液晶ディスプレイ等の表示手段、通信インターフェイス等を備える一種のコンピュータであり、例えば、パーソナルコンピュータ、ワークステーション等であるが、いかなる形態のものであってもよい。また、前記営業店サーバ１８は、単独のコンピュータであってもよいし、複数のコンピュータを有機的に結合した分散型サーバと称されるものであってもよいし、他のコンピュータと一体的に構成されたものであってもよいし、大型のコンピュータの中に構築された複数のシステムの中の一部であってもよい。そして、前記営業店サーバ１８は、営業店に配設された一般用営業店端末１１Ｂ及び突合用営業店端末１１Ａを管理したり、制御を行う。
【００４０】
なお、前記営業店サーバ１８は、勘定データベースを備えるものであってもよく、一般用営業店端末１１Ｂ及び突合用営業店端末１１Ａから受信した情報に基づいて、勘定データベースに格納されている金融取引の情報を更新するようにしてもよい。さらに、前記営業店サーバ１８は、営業店の各営業日における処理件数、現金在り高等の情報も格納するようにしてもよい。この場合、前記ホスト２１は、勘定データベースを省略することができ、また、営業店の各営業日における処理件数、現金在り高等の情報を格納する必要がない。
【００４１】
次に、前記構成の伝票処理システム１０の動作について説明する。
【００４２】
図６は本発明の実施の形態における伝票処理システムの動作を示すフローチャートである。
【００４３】
まず、顧客は、入金、出金、振り込み等の金融取引を窓口のオペレータに依頼して行う場合、伝票３１に金融取引の種類、金額、口座番号等の情報を記入し、前記伝票３１を窓口のオペレータに渡す。すると、該オペレータは、顧客が記入した伝票３１を受け取り、一般用営業店端末１１Ｂに接続されているＩＣタグリーダライタ１３を操作して、伝票３１に取り付けられたＩＣタグ３２から前記伝票３１の識別コード及び版数情報を読み込むための情報読み込みを行う。
【００４４】
すると、前記一般用営業店端末１１Ｂは伝票３１の有効性の自動チェックを行う。この場合、前記一般用営業店端末１１Ｂは、ＩＣタグ３２から読み込んだ前記用紙識別コードに基づいて、当該伝票３１を使用する処理内容か否かを帳票判定部１１ｂによって自動的に判定する。そして、当該伝票３１を使用する処理内容であると確認されると、オペレータは、前記伝票３１に記載された情報である金融取引の種類、金額、口座番号等を前記一般用営業店端末１１Ｂの入力装置を操作して入力し、端末処理を行う。
【００４５】
続いて、処理者、端末番号、処理時刻、取引科目、金融取引の金額、口座番号等の情報を端末処理の結果として前記ＩＣタグ３２に書き込むための結果書き込みが行われる。ここで、前記ＩＣタグ３２がＲＦＩＤタグである場合には、ＩＣタグ３２をＩＣタグリーダライタ１３に近接させることによって、前記情報をＩＣタグ３２に書き込むことができる。これにより、該ＩＣタグ３２のメモリ構成が、図５に示されるように、処理者、端末番号、処理時刻、取引科目、金融取引の金額、口座番号等となる。このとき、ホスト２１又は営業店サーバ１８に格納されている取引の処理件数及び現金在り高も更新される。なお、ＩＣタグへの取引結果の書き込みを以って、伝票プリンタ１２による認証印字は省略することができる。
【００４６】
次に、営業店における当日の業務が終了すると、オペレータは、ＩＣタグ３２が取り付けられた処理済みの伝票３１をすべて集める。そして、前記突合用営業店端末１１ＡのＩＣタグ一括リーダ１４を操作して伝票３１のＩＣタグ３２の記憶部に記憶されている取引情報をまとめて読み込むための一括読み込みを行う。これにより、複数の伝票３１に取り付けられたＩＣタグ３２の記憶部に記憶されている前記伝票３１の処理者、端末番号、処理時刻、取引科目、金融取引の金額、口座番号等が、前記突合用営業店端末１１Ａに接続されているＩＣタグ一括リーダ１４によって読み取られ、前記突合用営業店端末１１Ａに読み込まれる。
【００４７】
続いて、該突合用営業店端末１１Ａの取引情報集計部１１ｅは、読み込まれた情報に基づいて、科目別集計結果を算出する。そして、前記突合用営業店端末１１Ａの表示部１１ａは算出された科目別集計結果を表示する。続いて、前記突合用営業店端末１１Ａの取引情報突合部１１ｆは、前記科目別集計結果に基づき、勘定突合を行う。この場合、前記取引情報突合部１１ｆは、ホスト２１又は営業店サーバ１８にアクセスし、該ホスト２１又は営業店サーバ１８に格納されている取引の処理件数及び現金在り高と、当日の取引の処理件数及び現金在り高とを突合する。なお、勘定データベースの記録情報と自動的に突合を行うようにしてもよい。
【００４８】
そして、勘定突合が終了すると、オペレータは、当日における処理済みの伝票３１を、特に、並べ直したり、装丁したりすることなく、そのまま保管する。
【００４９】
次に、フローチャートについて説明する。
ステップＳ１１  伝票３１の情報読み込みを行う。
ステップＳ１２  一般用営業店端末１１Ｂによって端末処理を行う。
ステップＳ１３  処理結果をＩＣタグ３２に書き込むための結果書き込みを行う。
ステップＳ１４  ＩＣタグ一括リーダ１４によって一括読み込みを行う。
ステップＳ１５  科目別集計結果を突合用営業店端末１１Ａの表示部１１ａに表示する。
ステップＳ１６  勘定突合を行う。
ステップＳ１７  伝票３１を保管して処理を終了する。
【００５０】
このように、本実施の形態においては、ＩＣタグ３２に書き込まれた版数情報によって、伝票３１の有効性が自動的にチェックされるため、旧版伝票の誤用に起因する事務リスクを回避することができる。
【００５１】
また、ＩＣタグ３２に書き込まれた識別コードによって、伝票３１と一般用営業店端末１１Ｂにおける処理内容とがチェックされるため、使用された伝票３１と端末処理の錯誤が回避される。
【００５２】
さらに、処理結果をＩＣタグ３２へ書き込むので、伝票プリンタ１２を使用して伝票３１に印字する必要がない。そのため、伝票３１が伝票プリンタ１２に詰まるといった不具合が解消される。また、インク等の伝票プリンタ１２の消耗品も不要になるため、コストを削減することができる。
【００５３】
さらに、ＩＣタグ３２に書き込まれた処理結果を突合用営業店端末１１ＡのＩＣタグ一括リーダ１４によって読み取ることにより、取引科目別の仕訳処理が錯誤なく瞬時に行うことができる。
【００５４】
さらに、突合用営業店端末１１ＡのＩＣタグ一括リーダ１４によって、複数の伝票３１に付与されたＩＣタグ３２を一括して読み込むことにより、瞬時に多数の伝票３１の取引について集計することができる。また、多数の伝票３１の処理金額を瞬時に加算することも可能となる。したがって、伝票３１の枚数の多寡に関わらず、科目別集計を瞬時に算出することが可能となる。
【００５５】
さらに、ＩＣタグ３２による前記科目別集計結果と、勘定データベースの記録情報とを自動的に突合させることによって、業務終了後の勘定突合作業が効率化される。
【００５６】
さらに、伝票３１の保管後であって、ＩＣタグ３２を読み取ることによって、容易に伝票３１を検索することができるため、保管方法を簡略化することができる。
【００５７】
なお、本発明は前記実施の形態に限定されるものではなく、本発明の趣旨に基づいて種々変形させることが可能であり、それらを本発明の範囲から排除するものではない。
【図面の簡単な説明】
【００５８】
【図１】本発明の実施の形態における突合用営業店端末の構成を示す図である。
【図２】従来の伝票処理の動作を示すフローチャートである。
【図３】本発明の実施の形態における伝票処理システムの構成を示す図である。
【図４】本発明の実施の形態における突合用営業店端末の機能を示すブロック図である。
【図５】本発明の実施の形態における伝票処理システムＩＣタグに記憶される情報の内容を示す図である。
【図６】本発明の実施の形態における伝票処理システムの動作を示すフローチャートである。
【符号の説明】
【００５９】
１０    伝票処理システム
１１    営業店端末
１１Ａ    突合用営業店端末
１１Ｂ    一般用営業店端末
１３    ＩＣタグリーダライタ
１４    ＩＣタグ一括リーダ
３１    伝票
３２    ＩＣタグ
【図１】
2006252401.tif 000003
【図２】
2006252401.tif 000004
【図３】
2006252401.tif 000005
【図４】
2006252401.tif 000006
【図５】
2006252401.tif 000007
【図６】
2006252401.tif 000008